(57)【要約】【課題】金融機関に開設された預金口座を利用して、当せん金を効率的に受け取ることができる投票券管理方法及び投票券管理プログラムを提供する。【解決手段】発券センタ４０から抽せん結果を受信した管理コンピュータ２１は、当せん金処理を実行する。この当せん金処理では、まず、管理コンピュータ２１は、当せん会員の当せん金合計額を算出する。次に、管理コンピュータ２１は、振込手数料データ記憶部２４を用いて振込手数料を決定し、当せん金合計額から振込手数料を差し引いた当せん金振込額を算出する。そして、管理コンピュータ２１は、当せん金振込額と、会員データ記憶部２２に記録された振込下限額とを比較する。管理コンピュータ２１は、その結果に基づいて金融機関ホストシステム３０に対して当せん金の振込指示を行なう。【選択図】      図１
2004240542.tif 000002
【特許請求の範囲】
【請求項１】
利用者毎に預金口座に関するデータを記録する利用者データ記憶手段と、管理コンピュータとを含む投票券管理システムを用いて投票券の管理を行なう方法であって、
前記管理コンピュータが、
前記利用者の当せん金額から振込手数料を差し引いた振込金額を算出する振込金額算出段階と、
前記振込金額と、予め設定された振込下限額とを比較する比較段階と、
前記振込金額が前記振込下限額以上の場合に、前記利用者データ記憶手段に記録された前記利用者の預金口座に、前記当せん金額の少なくとも一部を振り込むための処理を行なう振込段階と
を有することを特徴とする投票券管理方法。
【請求項２】
前記利用者データ記憶手段には、さらに前記利用者毎に当せん金蓄積額に関するデータが記録され、
前記投票券管理方法は、
前記管理コンピュータが、前記当せん金額が前記振込下限額未満の場合には、前記当せん金額を、前記利用者データ記憶手段に記録された当せん金蓄積額に加算して記録する当せん金記録段階を、さらに有することを特徴とする請求項１に記載の投票券管理方法。
【請求項３】
前記投票券管理システムには、さらに振込手数料に関するデータを記録する振込手数料データ記憶手段を含み、
前記投票券管理方法は、
前記管理コンピュータが、前記振込手数料データ記憶手段を用いて、前記利用者毎の預金口座に基づいて振込手数料を決定する振込手数料決定段階を、さらに有することを特徴とする請求項１又は２に記載の投票券管理方法。
【請求項４】
前記利用者データ記憶手段には、さらに前記利用者毎に振込下限額に関するデータが記録され、
振込金額と振込下限額との比較は、
前記管理コンピュータが、前記利用者毎に特定した振込下限額を用いて比較を行なうことを特徴とする請求項１〜３のいずれか１項に記載の投票券管理方法。
【請求項５】
前記投票券管理方法は、
利用者データ記憶手段に、一の利用者に対して複数の預金口座に関するデータが記録されている場合には、
前記管理コンピュータが、
前記預金口座毎に振込金額を算出し、
前記預金口座毎の振込金額を提示して、前記利用者に振込先の預金口座の選択を促す口座選択段階をさらに有し、
前記振込段階は、前記選択された預金口座に、前記当せん金額の少なくとも一部を振り込むための処理を行なうことを特徴とする請求項１〜４のいずれか１項に記載の投票券管理方法。
【請求項６】
利用者毎に預金口座に関するデータを記録する利用者データ記憶手段と管理コンピュータとを含む投票券管理システムを用いて投票券の管理を行なうプログラムであって、
前記管理コンピュータを、
前記利用者の当せん金額から振込手数料を差し引いた振込金額を算出する振込金額算出手段と、
前記振込金額と、予め設定された振込下限額とを比較する比較手段と、
前記振込金額が前記振込下限額以上の場合に、前記利用者データ記憶手段に記録された前記利用者の預金口座に、前記当せん金額の少なくとも一部を振り込むための処理を行なう振込手段と、
として機能させることを特徴とする投票券管理プログラム。
【請求項７】
前記利用者データ記憶手段には、さらに前記利用者毎に当せん金蓄積額に関するデータが記録され、
前記投票券管理プログラムは、
前記管理コンピュータを、前記当せん金額が前記振込下限額未満の場合には、前記当せん金額を、前記利用者データ記憶手段に記録された当せん金蓄積額に加算して記録する当せん金記録手段として、さらに機能させることを特徴とする請求項６に記載の投票券管理プログラム。
【請求項８】
前記投票券管理システムには、さらに振込手数料に関するデータを記録する振込手数料データ記憶手段を含み、
前記投票券管理プログラムは、
前記管理コンピュータを、前記振込手数料データ記憶手段を用いて、前記利用者毎の預金口座に基づいて振込手数料を決定する振込手数料決定手段として、さらに機能させることを特徴とする請求項６又は７に記載の投票券管理プログラム。
【請求項９】
前記利用者データ記憶手段には、さらに前記利用者毎に振込下限額に関するデータが記録され、
振込金額が振込下限額との比較は、
前記管理コンピュータが、前記利用者毎に特定した振込下限額を用いて比較を行なうことを特徴とする請求項６〜８のいずれか１項に記載の投票券管理プログラム。
【請求項１０】
投票券管理プログラムは、
利用者データ記憶手段に、一の利用者に対して複数の預金口座に関するデータが記録されている場合には、
前記管理コンピュータを、
前記預金口座毎に振込金額を算出し、
前記預金口座毎の振込金額を提示して、前記利用者に振込先の預金口座の選択を促す口座選択手段として、さらに機能させ、
前記振込手段は、前記選択された預金口座に、前記当せん金額の少なくとも一部を振り込むための処理を行なうことを特徴とする請求項６〜９のいずれか１項に記載の投票券管理プログラム。
【発明の詳細な説明】
【０００１】
【発明の属する技術分野】
本発明は、金融機関に開設された預金口座を利用して、当せん金を効率的に受け取ることができる投票券の管理を行なう投票券管理方法及び投票券管理プログラムに関するものである。
【０００２】
【従来の技術】
宝くじ等の投票券を購入し、この投票券が当せんした場合、通常、投票券販売所や所定の金融機関において、当せん金を提供されることが多い。従って、販売所等に出向くことができない場合、当せん金を受け取ることができない。しかも、宝くじ売場は限られた数しかないため、場合によっては、当せん金を受け取るまでに長時間待たなければならないこともある。
【０００３】
また、インターネット上で宝くじ等を販売するための投票券販売システムが提案されている（例えば、特許文献１参照。）。この投票券販売システムの受付管理部がインターネットを介して会員端末からの宝くじの購入申込を受け付けると、その購入申込がデータベースに格納される。数字選択式宝くじの申込の場合、申込データが中継センタに送られ、データ転送管理部は、宝くじ発券システムが稼動状態であるか否かを判定する。そして、稼動状態である場合には宝くじの購入申込を、宝くじ発券システムに転送する。さらに、発券情報は、中継センタ、宝くじモール・サイト、インターネットを介して会員端末に配信される。普通の宝くじの場合は、宝くじの種類を会員に提示して、会員に種類及び枚数を設定させる。当せん管理部は、当せんした宝くじに関するデータを管理し、当せん結果は、インターネットを介して会員端末に配信する。
【０００４】
そして、「普通宝くじ」の抽せんが終了して当せん番号が確定すると、当せん番号は、その種類とともに宝くじモール・サイトの宝くじデータベースに記憶される。宝くじモール・サイトの当せん管理部は、データベースを参照して、当せん番号に合致する「普通宝くじ」を購入した会員を抽出することにより、当せん者を判定しかつ当せん金振込データを作成する。そして、当せん管理部は、決済管理部を介して電子決済サーバに、当せん金振込データに基づいて決済を行なうよう指示し、これにより、当せん金の電子決済が実行される。当せん管理部はまた、決済完了が通知された後に、文書作成／送付部に対して、当せん通知明細書又は落せん通知明細書を作成して会員端末にメール送信するよう指示する。当せん通知明細書には、当せん金の振込がなされたことの情報も組み入れられる。
【０００５】
また、「数字選択式宝くじ」の当せん番号が確定した場合、宝くじモール・サイトは、中継センタを介して、ＪＬＳホスト・システムの抽せん結果管理部にアクセスすることにより、当せん番号を入手することができ、入手した当せん番号は、宝くじデータベースに格納される。宝くじモール・サイトの当せん管理部は、「普通宝くじ」の場合と同様に当せん者を抽出し、当せん金振込の処理を指示するとともに、当せん通知明細書を作成しメール配信するように指示し、落選者に対しては、落せん通知明細書をメール配信するよう通知する。
【０００６】
これにより、インターネット等を介して宝くじの購入者も、当せん金を受け取るために投票券販売所や金融機関等に出向く必要がなくなるので、購入者にとって利便性が高い。
【０００７】
【特許文献１】
特開２００２−１２３６４６号公報（第６頁）
【０００８】
【発明が解決しようとする課題】
預金口座に振り込む場合、他の本支店や他の金融機関の口座への振込には振込手数料が必要になることが多い。従って、当せん金が比較的小額で振込手数料の方が高い場合、当せん金で振込手数料を負担できないことがある。振込手数料が高くなってしまうと、当せんした意味がなくなる。また、当せん金が振込手数料より高い場合であっても差額が小さい場合、当せんの度に振込手数料を支払うのは効率的でない。
【０００９】
本発明は、上記問題点を解決するためになされたものであり、金融機関に開設された預金口座を利用して、当せん金を効率的に受け取ることができる投票券の管理を行なうための投票券管理方法及び投票券管理プログラムを提供することである。
【００１０】
【課題を解決するための手段】
上記問題点を解決するために、請求項１に記載の発明は、利用者毎に預金口座に関するデータを記録する利用者データ記憶手段と、管理コンピュータとを含む投票券管理システムを用いて投票券の管理を行なう方法であって、前記管理コンピュータが、前記利用者の当せん金額から振込手数料を差し引いた振込金額を算出する振込金額算出段階と、前記振込金額と、予め設定された振込下限額とを比較する比較段階と、前記振込金額が前記振込下限額以上の場合に、前記利用者データ記憶手段に記録された前記利用者の預金口座に、前記当せん金額の少なくとも一部を振り込むための処理を行なう振込段階とを有することを要旨とする。
【００１１】
請求項２に記載の発明は、請求項１に記載の投票券管理方法において、前記利用者データ記憶手段には、さらに前記利用者毎に当せん金蓄積額に関するデータが記録され、前記投票券管理方法は、前記管理コンピュータが、前記当せん金額が前記振込下限額未満の場合には、前記当せん金額を、前記利用者データ記憶手段に記録された当せん金蓄積額に加算して記録する当せん金記録段階を、さらに有することを要旨とする。
【００１２】
請求項３に記載の発明は、請求項１又は２に記載の投票券管理方法において、前記投票券管理システムには、さらに振込手数料に関するデータを記録する振込手数料データ記憶手段を含み、前記投票券管理方法は、前記管理コンピュータが、前記振込手数料データ記憶手段を用いて、前記利用者毎の預金口座に基づいて振込手数料を決定する振込手数料決定段階を、さらに有することを要旨とする。
【００１３】
請求項４に記載の発明は、請求項１〜３のいずれか１項に記載の投票券管理方法において、前記利用者データ記憶手段には、さらに前記利用者毎に振込下限額に関するデータが記録され、振込金額と振込下限額との比較は、前記管理コンピュータが、前記利用者毎に特定した振込下限額を用いて比較を行なうことを要旨とする。
【００１４】
請求項５に記載の発明は、請求項１〜４のいずれか１項に記載の投票券管理方法において、前記投票券管理方法は、利用者データ記憶手段に、一の利用者に対して複数の預金口座に関するデータが記録されている場合には、前記管理コンピュータが、前記預金口座毎に振込金額を算出し、前記預金口座毎の振込金額を提示して、前記利用者に振込先の預金口座の選択を促す口座選択段階をさらに有し、前記振込段階は、前記選択された預金口座に、前記当せん金額の少なくとも一部を振り込むための処理を行なうことを要旨とする。
【００１５】
請求項６に記載の発明は、利用者毎に預金口座に関するデータを記録する利用者データ記憶手段と管理コンピュータとを含む投票券管理システムを用いて投票券の管理を行なうプログラムであって、前記管理コンピュータを、前記利用者の当せん金額から振込手数料を差し引いた振込金額を算出する振込金額算出手段と、前記振込金額と、予め設定された振込下限額とを比較する比較手段と、前記振込金額が前記振込下限額以上の場合に、前記利用者データ記憶手段に記録された前記利用者の預金口座に、前記当せん金額の少なくとも一部を振り込むための処理を行なう振込手段と、として機能させることを要旨とする。
【００１６】
請求項７に記載の発明は、請求項６に記載の投票券管理プログラムにおいて、前記利用者データ記憶手段には、さらに前記利用者毎に当せん金蓄積額に関するデータが記録され、前記投票券管理プログラムは、前記管理コンピュータを、前記当せん金額が前記振込下限額未満の場合には、前記当せん金額を、前記利用者データ記憶手段に記録された当せん金蓄積額に加算して記録する当せん金記録手段として、さらに機能させることを要旨とする。
【００１７】
請求項８に記載の発明は、請求項６又は７に記載の投票券管理プログラムにおいて、前記投票券管理システムには、さらに振込手数料に関するデータを記録する振込手数料データ記憶手段を含み、前記投票券管理プログラムは、前記管理コンピュータを、前記振込手数料データ記憶手段を用いて、前記利用者毎の預金口座に基づいて振込手数料を決定する振込手数料決定手段として、さらに機能させることを要旨とする。
【００１８】
請求項９に記載の発明は、請求項６〜８のいずれか１項に記載の投票券管理プログラムにおいて、前記利用者データ記憶手段には、さらに前記利用者毎に振込下限額に関するデータが記録され、振込金額が振込下限額との比較は、前記管理コンピュータが、前記利用者毎に特定した振込下限額を用いて比較を行なうことを要旨とする。
【００１９】
請求項１０に記載の発明は、請求項６〜９のいずれか１項に記載の投票券管理プログラムにおいて、投票券管理プログラムは、利用者データ記憶手段に、一の利用者に対して複数の預金口座に関するデータが記録されている場合には、前記管理コンピュータを、前記預金口座毎に振込金額を算出し、前記預金口座毎の振込金額を提示して、前記利用者に振込先の預金口座の選択を促す口座選択手段として、さらに機能させ、前記振込手段は、前記選択された預金口座に、前記当せん金額の少なくとも一部を振り込むための処理を行なうことを要旨とする。
【００２０】
（作用）
請求項１又は６に記載の発明によれば、管理コンピュータが、利用者の当せん金額から振込手数料を差し引いた振込金額を算出する。次に振込金額と、予め設定された振込下限額とを比較し、前記振込金額が前記振込下限額以上の場合に、利用者データ記憶手段に記録された前記利用者の預金口座に、前記当せん金額の少なくとも一部を振り込むための処理を行なう。このため、振込金額が振込下限額未満の場合、振り込むための処理が実行されない。金融機関の口座に当せん金を振り込む場合、手数料が必要になる場合があるが、当せん金が小額の場合、振込手数料による無駄が多くなることがある。従って、振込手数料の無駄を抑制しながら、口座振込を利用して効率的に当せん金を受け取ることができる。
【００２１】
請求項２又は７に記載の発明によれば、管理コンピュータが、前記当せん金額が前記振込下限額未満の場合には、前記当せん金額を当せん金データ記憶手段に記録された当せん金蓄積額に加算して記録する。このため、振り込みの行なわれなかった当せん金は蓄積される。そして、蓄積された当せん金（当せん金蓄積額）が振込下限額以上になった場合に振り込みが行なわれる。このため、振込手数料を考慮して、効率的な振り込みを行なうことができる。
【００２２】
請求項３又は８に記載の発明によれば、管理コンピュータが、振込手数料データ記憶手段を用いて、前記利用者毎の預金口座に基づいて振込手数料を決定する。通常、振込先の預金口座が開設された金融機関や支店等によって振込手数料が異なる。このため、適切な振込手数料を用いて振り込みの要否を判断することができる。
【００２３】
請求項４又は９に記載の発明によれば、利用者データ記憶手段には、さらに前記利用者毎に振込下限額に関するデータが記録される。そして、前記管理コンピュータが、前記利用者毎に特定した振込下限額を用いて比較を行なう。このため、利用者の希望に基づいて、振り込みの要否を判断できる。
【００２４】
請求項５又は１０に記載の発明によれば、利用者データ記憶手段に一の利用者に対して複数の預金口座に関するデータが記録されている場合には、前記管理コンピュータが、前記振込金額の算出は、前記預金口座毎に振込金額を算出する。そして、前記預金口座毎の振込金額を提示して、前記利用者に振込先の預金口座の選択を促し、前記選択された預金口座に、前記当せん金額の少なくとも一部を振り込むための処理を行なう。このため、利用者は、預金口座毎に振込金額を参考にして振込先の預金口座の選択を行なうことができる。従って、利用者の希望に基づいて、振込先の口座を決定することができる。
【００２５】
【発明の実施の形態】
以下、本発明を具体化した実施形態を図１〜図１４に従って説明する。本実施形態では、ネットワークを介して受け付けた購入依頼に基づいて、投票券としての宝くじを販売するサービスを提供する場合に用いる投票券管理方法及び投票券管理プログラムとして説明する。ここでは、このサービスは会員登録された利用者に提供される。
【００２６】
本実施形態では、１から４３までの数字から６個を選ぶ数字選択式宝くじを販売する場合を想定する。数字選択式宝くじにおいては、当せんくじは宝くじの購入者によって選択された６個の数字と、当せん数字の一致度により決定される。そして、当せん金額は発売額と当せん口数によって決定される。また、この数字選択式宝くじは全国自治宝くじの一種であり、宝くじ販売に関する収益金は販売地域に分配される。
【００２７】
本実施形態では、会員登録された利用者が本サービスを利用する場合、図１に示すように、利用者は利用者端末１０を用いて購入依頼の送信等を行なう。
利用者端末１０は、ネットワークを介してデータを送信する機能や、受信したデータを表示する機能等を有するコンピュータ端末である。この利用者端末１０は、図示しないＣＰＵ、ＲＡＭ、ＲＯＭの他、キーボード、マウス等の入力手段、ディスプレイ等の出力手段、モデム等の通信手段等を有する。
【００２８】
また、利用者端末１０は、図１に示すように、ネットワークとしてのインターネットＩを介して、投票券管理システムとしての販売管理システム２０に接続されている。販売管理システム２０は、会員に対して販売する宝くじの管理に関する各種データ処理を行なうコンピュータシステムである。この販売管理システム２０は、管理コンピュータ２１を備えている。
【００２９】
この管理コンピュータ２１は、利用者端末１０や金融機関ホストシステム３０、発券センタ４０との間でのデータ送受信や、宝くじの各種管理を実行するための各種データの管理処理等を行なう。この管理コンピュータ２１は、図示しないＣＰＵ、ＲＡＭ、ＲＯＭ等を有し、後述する処理（振込金額算出段階、比較段階、振込段階、当せん金記録段階、振込手数料決定段階、口座選択段階等を含む処理）を行なう。そのための宝くじ販売管理プログラムを実行することにより、管理コンピュータ２１は、振込金額算出手段、比較手段、振込手段、当せん金記録手段、振込手数料決定手段、口座選択手段等として機能する。
【００３０】
さらに販売管理システム２０は、利用者データ記憶手段としての会員データ記憶部２２、販売データ記憶部２３及び振込手数料データ記憶手段としての振込手数料データ記憶部２４を備えている。
【００３１】
会員データ記憶部２２には、図２に示すように、本サービスを利用できる会員に関する会員データ２２０が記録されている。この会員データ２２０は、本サービスを利用するための会員申請が行なわれた場合に設定される。会員データ２２０は、会員毎に、会員ＩＤ、氏名、年齢、住所、電子メールアドレス、パスワード、預金口座識別子に関するデータを含んで構成される。さらに、会員データ２２０は、当せん金蓄積額としての当せん金合計額及び振込下限額に関するデータを含んで構成される。
【００３２】
会員ＩＤデータ領域には、会員を特定するための識別子（会員ＩＤ）に関するデータが記録される。
氏名データ領域、年齢データ領域には、それぞれ会員の氏名、年齢に関するデータが記録される。
【００３３】
住所データ領域には、会員の住所に関するデータが記録される。本実施形態では、会員の住所は、宝くじの販売地域を特定するために用いられる。
電子メールアドレスデータ領域には、会員の電子メールアドレスに関するデータが記録される。
【００３４】
パスワードデータ領域には、本サービスを利用する場合に用いるパスワードに関するデータが記録される。会員ＩＤやパスワードは、会員申込時に利用希望者に割り振られる。
【００３５】
預金口座識別子データ領域には、宝くじの購入代金の支払や当せん金の振込に用いられる預金口座を特定するための識別子に関するデータが記録される。本実施形態では、会員の預金口座を特定するために、預金口座識別子データには、金融機関名、支店名、預金種目、口座番号に関するデータ等を含んで構成される。
【００３６】
当せん金合計額データ領域には、会員が購入した宝くじの当せん金の合計金額に関するデータが記録される。当せん金合計額は、会員が購入した宝くじが当選する度に当せん金が蓄積された金額である。そして、会員の預金口座に当せん金が振り込まれた場合、この振込金額に相当する金額が差し引いて記録される。
【００３７】
振込下限額データ領域には、当せん金の振込を行なう場合の下限額に関するデータが記録される。
販売データ記憶部２３には、図３に示すように、本サービスの利用する会員に販売した宝くじに関する販売データ２３０が記録されている。この販売データ２３０は、会員から宝くじの購入要求があった場合に設定される。販売データ２３０には、宝くじの販売毎に、会員ＩＤ、申込回、選択数字、申込口数、継続回数及び売場コードに関するデータが相互に関連づけられて記録される。
【００３８】
会員ＩＤデータ領域には、購入要求を行なった会員を特定するための識別子（会員ＩＤ）に関するデータが記録される。
申込回データ領域には、購入する宝くじの発行回（回号）を特定するための識別子に関するデータが記録される。本実施形態では、購入する宝くじに種類を特定するために用いられる。なお、複数回以上、継続して宝くじを購入する場合には初回の申込回に関するデータが記録される。
【００３９】
選択数字データ領域には、宝くじ購入時に会員によって選択された数字（申込数字）に関するデータが記録される。本実施形態では、この申込数字は１から４３までの４３個の数字の中から選ばれた６個の数字から構成される。
【００４０】
申込口数データ領域には、購入申込のあった口数に関するデータが記録される。
継続回数データ領域には、選択された数字を用いて宝くじを連続して複数回購入する回数に関するデータが記録される。複数回が選択された場合には、初回の申込回から宝くじの発売毎に自動的に購入が繰り返される。
【００４１】
売り場コードデータ領域には、宝くじを販売している場所を特定するための識別子としての売り場コードに関するデータ（販売地域データ）が記録される。この売場コードは、店頭販売時に用いられる投票券の売場識別子と同じものを用いる。
【００４２】
振込手数料データ記憶部２４には、図４に示すように、振込手数料に関する振込手数料データ２４０が記録されている。この振込手数料データ２４０は、金融機関が振込手数料を設定した場合に記録される。そして、振込手数料が変更された場合には、振込手数料データ２４０は更新される。本実施形態では、振込手数料データ２４０には、「同一店内」、「本支店」及び「他行」の口座に振り込む場合の手数料に関するデータが、振込金額が「３万円未満」の場合と「３万円以上」の場合とに分けて記録されている。振込手数料データ２４０を用いることにより、例えば、本支店の口座宛の３万円未満の振込の場合、振込手数料は１０５円である。
【００４３】
さらに、販売管理システム２０は、図１に示すように金融機関ホストシステム３０との間でデータ通信を行なう。この金融機関ホストシステム３０は預金口座を管理するコンピュータシステムである。この金融機関ホストシステム３０は預金口座の残高の管理、預金口座への入金、預金口座からの出金等を管理する。
【００４４】
さらに、販売管理システム２０は、図１に示すように発券センタ４０との間でデータ通信を行なう。この発券センタ４０は宝くじの発券や抽せんを管理するコンピュータシステムである。
【００４５】
上記のように構成されたシステムにおいて、本サービスに関する宝くじの販売管理を行なう場合の処理手順を説明する。ここで、本サービスの会員申請段階、宝くじの購入申込段階、抽せん段階の順に説明する。
【００４６】
（本サービスの会員申込段階）
まず、会員申込段階の処理を説明する。本実施形態では、本サービスを利用して宝くじを購入するためには会員登録を行なう必要がある。このため、本サービスの利用希望者はサービス提供者に会員申込の要求を行なう。本実施形態では、会員申込の要求は、利用者端末１０からインターネットＩを介して販売管理システム２０に送信することにより行なわれる。この要求には、利用希望者の氏名、年齢、住所、電子メールアドレスに関するデータが含まれる。さらに、会員申込の要求には、会員が宝くじ購入するときや当せん金を受け取るときに用いる預金口座識別子及び振込下限額に関するデータが含まれる。
【００４７】
会員申込の要求を受信した管理コンピュータ２１は、会員申込の要求に基づいて、利用希望者の氏名、年齢、住所、電子メールアドレス、預金口座識別子及び振込下限額に関するデータを会員データ記憶部２２に記録する。
【００４８】
次に、管理コンピュータ２１は、利用者端末１０に対して会員申込の受付通知を送信する。この受付通知により利用希望者は、販売管理システム２０が会員申込の要求を受け付けたことを把握できる。
【００４９】
次に、管理コンピュータ２１は、利用希望者に対して申込書を郵送するための処理を行なう。本実施形態では、管理コンピュータ２１が、郵送先住所を付した申込書を出力する。そして、サービス提供者が、出力された申込書を利用希望者に郵送する。この場合、申込書は、会員申込要求に含まれる利用希望者の氏名及び住所を宛先として郵送される。
【００５０】
この申込書を郵送先住所で受理した利用希望者は、申込書の所定事項を記入する。この申込書には、宝くじ購入代金の自動口座引落の契約に関する事項が含まれる。そして、利用希望者は自動口座引落の契約の承諾を記載後、申込書をサービス提供者に返送する。
【００５１】
返送された申込書を受理したサービス提供者は、利用希望者の預金口座の確認処理を実行する。具体的には、金融機関ホストシステム３０にアクセスし、利用希望者の預金口座の有無を打診する。
【００５２】
利用希望者の預金口座を確認できた場合、この利用希望者に対してパスワード及び会員ＩＤを割り振る。そして、パスワード及び会員ＩＤを会員データ記憶部２２に記録された会員データ２２０に追加記録する。
【００５３】
そして、割り振ったパスワード及び会員ＩＤを利用希望者に通知する。具体的には、会員データ記憶部２２に記録された利用希望者の氏名及び住所を宛先とする通知書を作成し、郵送する。この通知書には割り振った会員ＩＤ、パスワードが記載される。以上により、本サービスの利用希望者は会員として登録され、会員ＩＤ、パスワードを用いてサービスを利用できる状態になる。
【００５４】
（宝くじの購入申込段階）
次に、会員が宝くじの購入申込を行なう段階の処理について、図５を用いて説明する。まず、会員は宝くじ管理システムへのアクセスを行なう。この場合、利用者端末１０のディスプレイには図８に示す表示画面５００が出力される。この表示画面５００には、会員ＩＤ入力欄５０１及びパスワード入力欄５０２が含まれる。これらの入力欄に対しては、利用者端末１０のキーボード等を用いて文字や数字等を入力することができる。
【００５５】
さらに、表示画面５００には、送信ボタン５０３と中止ボタン５０４とが含まれる。送信ボタン５０３は、入力した会員ＩＤやパスワードを販売管理システム２０に送信するためのボタンである。また、中止ボタン５０４は処理を中止するためのボタンである。ここで、会員はサービス事業者から割り振られた会員ＩＤ、パスワードをそれぞれの入力欄（５０１、５０２）に入力する。そして、送信ボタン５０３を押す。この場合、利用者端末１０はインターネットＩを介してログイン要求を送信する（Ｓ１−１）。このログイン要求には、表示画面５００において入力された会員ＩＤ、パスワードに関するデータが含まれる。
【００５６】
ログイン要求を受信した管理コンピュータ２１はユーザ認証を行なう（Ｓ１−２）。具体的には、管理コンピュータ２１は、ログイン要求に含まれる会員ＩＤ、パスワードが、会員データ記憶部２２に記録された会員ＩＤ、パスワードと一致するかどうかを確認する。
【００５７】
ユーザ認証が完了した場合には、管理コンピュータ２１は、インターネットＩを介して購入設定画面に関するウェブページデータを利用者端末１０に送信する（Ｓ１−３）。
【００５８】
このウェブページデータを受信した利用者端末１０のディスプレイには、図９に示す表示画面５１０が出力される。この表示画面５１０は、購入する宝くじを選択するための画面である。このため、表示画面５１０には、申込回設定欄５１１、選択数字設定欄５１２、申込口数設定欄５１３、継続回数設定欄５１４が含まれる。更に、表示画面５１０には、申込ボタン５１５と中止ボタン５１６とが含まれる。申込ボタン５１５は、入力した宝くじの購入申込を送信するためのボタンである。また、中止ボタン５１６は、購入申込の処理を中止するためのボタンである。
【００５９】
ここでは、利用者は申込回として「第１５０回」の数字選択式宝くじにおいて、「０２」、「０５」、「１２」、「１８」、「３０」及び「４１」の６個の数字を選択する場合を想定する。そして、申込口数として「１口」、継続回数として「２回」の条件で宝くじの購入申込を行なう場合を想定する。そして、各項目の入力を完了した場合、表示画面５１０の申込ボタン５１５を押す。この場合、利用者端末１０は設定された条件（申込回、選択数字、申込口数、継続回数）に関するデータを含む購入要求を、インターネットＩを介して販売管理システム２０に送信する（Ｓ１−４）。
【００６０】
この購入要求を受信した管理コンピュータ２１は、インターネットＩを介して利用者端末１０に受付画面に関するウェブページデータを送信する（Ｓ１−５）。この場合、まず、管理コンピュータ２１は、購入要求に基づいて、申込回、選択数字、申込口数、継続回数を会員ＩＤに関連づけた販売データ２３０を販売データ記憶部２３に記録する。そして、管理コンピュータ２１は、会員が購入申込を行なった宝くじの内容を含めた受付画面に関するウェブページデータを送信する。
【００６１】
このウェブページデータを受信した利用者端末１０のディスプレイには、図１０に示す表示画面５２０が出力される。この表示画面５２０には、会員が購入申込を行なった宝くじの内容表示欄５２１が含まれる。
【００６２】
さらに、管理コンピュータ２１は金融機関ホストシステム３０に対して決済要求を行なう（Ｓ１−６）。この場合、まず、管理コンピュータ２１は、購入申込のあった宝くじの購入代金額を算出する。購入代金額は宝くじに種類（ここでは申込回）と口数に基づいて算出される。なお、複数回の継続回数が設定されている場合には、毎回購入時に決済処理が行なわれる。そして、管理コンピュータ２１は、購入代金額と会員の預金口座識別子に関するデータを含む口座引落指示を金融機関ホストシステム３０に送信する。
【００６３】
決済要求を受信した金融機関ホストシステム３０は、引落処理を実行する（Ｓ１−７）。具体的には、まず金融機関ホストシステム３０は、引落指示に含まれる会員の預金口座識別子に基づいて口座残高を確認する。そして、口座残高が購入代金額以上の場合、金融機関ホストシステム３０は口座引落処理を実行する。この代金は、予め準備された宝くじ発券管理口座に入金される。
【００６４】
そして、金融機関ホストシステム３０は決済結果を販売管理システム２０に通知する（Ｓ１−８）。なお、口座残高が購入代金額に満たない場合は、金融機関ホストシステム３０は、その旨を販売管理システム２０に通知する。そして、管理コンピュータ２１は、インターネットＩを介して利用者端末１０に宝くじを購入ができなかったことを通知する。
【００６５】
決済処理が完了した場合、管理コンピュータ２１は宝くじを購入した会員の住所を売場コードに変換する（Ｓ１−９）。本実施形態では、管理コンピュータ２１は、まず会員データ記憶部２２から宝くじを購入した会員の住所を抽出する。そして、管理コンピュータ２１は、住所地域と売場コードとを対応された変換表データを用いて、購入申込を行なった会員の住所を売場コードに変換する。そして、管理コンピュータ２１は、販売データ記憶部２３に記録された販売データ２３０に売場コードに関するデータを追加記録する。
【００６６】
次に、管理コンピュータ２１は発券要求を発券センタ４０に送信する（Ｓ１−１０）。この発券要求には、購入申込を行なった会員の会員ＩＤ、購入申込のあった宝くじの内容及び売場コードに関するデータが含まれる。この発券要求を受信した発券センタ４０は、発券要求に含まれるデータを販売管理データとして登録する。
【００６７】
そして、発券センタ４０は、販売管理システム２０に発券結果を通知する（Ｓ１−１１）。この発券通知を受信した管理コンピュータ２１は、インターネットＩを介して利用者端末１０に購入結果を送信する（Ｓ１−１２）。
【００６８】
この購入結果を受信した利用者端末１０のディスプレイには、図１１に示す表示画面５３０が出力される。この表示画面５３０には、再購入ボタン５３１と終了ボタン５３２とが含まれる。再購入ボタン５３１は、再度、新たな宝くじの購入申込を行なう場合に用いるボタンである。この再購入ボタン５３１を押した場合、図９に示す表示画面５１０が再度表示される。会員は表示された表示画面５１０を用いて、他の宝くじを購入することができる。また、終了ボタン５３２は、購入申込の処理を終了するためのボタンである。以上により、宝くじの購入申込段階の処理についての説明を終了する。
【００６９】
（宝くじの抽せん段階の処理）
次に、宝くじの抽せん段階の処理を、図６を用いて説明する。この処理は、予め設定された抽せん日に達した場合に実行される。
【００７０】
まず、発券センタ４０は抽せん処理を行なう（Ｓ２−１）。本実施形態の数字選択式宝くじにおいては、発券センタ４０は１〜４３の数字の中から当せん数字を選択する。そして、発券センタ４０は、当せん数字と、販売された宝くじの選択数字との一致度によって当せんした宝くじを購入した会員ＩＤと当せん金とを決定する。
【００７１】
次に、発券センタ４０は、販売管理システム２０に抽せん結果を送信する（Ｓ２−２）。この抽せん結果には、当せんした宝くじを購入した会員ＩＤと当せん金に関するデータを含む。
【００７２】
この抽せん結果を受信した管理コンピュータ２１は、当せん金処理を実行する（Ｓ２−３）。この当せん金処理を、図７を用いて説明する。
まず、管理コンピュータ２１は、当せん宝くじを購入した会員の当せん金の合計額を算出する（Ｓ３−１）。具体的には、管理コンピュータ２１は、受信した会員ＩＤに基づいて、当せんした会員（当せん会員）の会員データ２２０を特定する。そして、管理コンピュータ２１は、会員データ２２０に含まれる当せん金合計額に、今回の当せん金を加算した当せん金合計額を算出する。
【００７３】
次に、管理コンピュータ２１は振込先口座の特定を行なう（Ｓ３−２）。ここで、管理コンピュータ２１は、会員データ記憶部２２に記録された会員データ２２０に含まれる預金口座識別子に基づいて、「同一店内」、「本支店」または「他行」の種別を特定する。振込手数料が振込先である口座によって異なるからである。
【００７４】
次に、管理コンピュータ２１は当せん金振込額を算出する（Ｓ３−３）。ここでは、当せん金振込額は、当せん金合計額から振込手数料を差し引いて算出する。具体的には、まず、管理コンピュータ２１は、利用者の預金口座及び当せん金振込額に基づいて振込手数料データ記憶部２４に記録された振込手数料を決定する。
【００７５】
本実施形態では、同一店内の口座への振込の場合、０円であるため、当せん金振込額は当せん金合計額になる。
また、本支店の口座への振込は以下のようになる。当せん金合計額が３０１０４円以下の振込を行なう場合、振込手数料（１０５円）を差し引くことにより３万円未満の振込になる。このため、当せん金振込額は「当せん金合計額−振込手数料（１０５円）」になる。一方、当せん金合計額が３０２１０円以上の振込を行なう場合、当せん金振込額は「当せん金合計額−振込手数料（２１０円）」である。なお、本実施形態では、当せん金合計額が３０１０５円〜３０２０９円の場合には、振込手数料（１０５円）を含めて３０１０４円を振込に用いることとする。
【００７６】
また、他行の口座への振込は以下のようになる。当せん金合計額が３０２０９円以下の振込を行なう場合、振込手数料（２１０円）を差し引くことにより、３万円未満の振込になる。このため、当せん金振込額は「当せん金合計額−振込手数料（２１０円）」になる。一方、当せん金合計額が３０４２０円以上の振込を行なう場合、当せん金振込額は「当せん金合計額−振込手数料（４２０円）」である。なお、本実施形態では、当せん金合計額が３０２１０円〜３０４１９円の場合には、振込手数料（２１０円）を含めて３０２０９円を振込に用いることとする。
【００７７】
次に、管理コンピュータ２１は、当せん金振込額と振込下限額とを比較する（Ｓ３−４）。当せん金振込額が振込下限額未満の場合（ステップ（Ｓ３−４）において「Ｎｏ」の場合）、管理コンピュータ２１は、利用者端末１０に当せん通知のみを送信する（Ｓ３−５）。この場合、管理コンピュータ２１は、当せん金を振り込むための処理を行なわず、今回の当せん金を加算した当せん金合計額を会員データ記憶部２２に記録する。
【００７８】
インターネットＩを介して当せん通知を受信した利用者端末１０のディスプレイには、図１２に示す表示画面５４０が出力される。この表示画面５４０には、当せんした宝くじの内容が含まれる。さらに、表示画面５４０には、この会員の現在の当せん金合計額が含まれる。
【００７９】
一方、当せん金振込額が振込下限額以上の場合（ステップ（Ｓ３−４）において「Ｙｅｓ」の場合）、管理コンピュータ２１は、金融機関ホストシステム３０に対して、当せん金を振り込むための処理として振込指示を行なう（Ｓ３−６）。具体的には、管理コンピュータ２１は会員データ記憶部２２から振込先の預金口座識別子を抽出し、当せん金振込額の振込指示を行なう。この振込指示を受信した金融機関ホストシステム３０は決済処理を実行する。具体的には、金融機関ホストシステム３０は当せん金振込額を会員の預金口座に入金する。
【００８０】
さらに、管理コンピュータ２１は、振込を行なった会員に関する会員データ２２０の当せん金合計額を更新する（Ｓ３−７）。具体的には、管理コンピュータ２１は、当せん金合計額から当せん金振込額と振込手数料とを差し引いて金額を、当せん金合計額として会員データ記憶部２２に更新・記録する。
【００８１】
そして、管理コンピュータ２１は、振込通知を利用者端末１０に送信する（Ｓ３−８）。この場合、会員データ記憶部２２から会員の電子メールアドレスを抽出し、管理コンピュータ２１はインターネットＩを介して利用者端末１０に送信する。振込通知を受信した利用者端末１０のディスプレイには、図１３に示す表示画面５５０が出力される。この表示画面５５０には、当せんした宝くじの内容が含まれる。さらに、表示画面５５０には、この会員の預金口座に振り込まれる当せん金合計額に関する情報が含まれる。そして、管理コンピュータ２１は当せん金処理を終了し、図６に示すフローに戻る。
【００８２】
次に、発券センタ４０は収益金の分配処理を行なう。ここでは、まず、発券センタ４０は収益金の算出処理を実行する（Ｓ２−４）。この処理では、宝くじの売上金額から当せん金額等を差し引いて収益金を算出する。
【００８３】
次に、発券センタ４０は、売場コードに基づいて収益金の振り分けを行なう（Ｓ２−５）。具体的には、まず、発券センタ４０は、地方自治体毎に関連づけられた売場コードに基づいて、各地方自治体に分配する収益金を算出する。そして、発券センタ４０は入金する地方自治体の口座を特定する。
【００８４】
次に、発券センタ４０は販売管理システム２０に収益金の入金指示を送信する（Ｓ２−６）。この入金指示には、入金先である地方自治体の口座の識別子と、分配する収益金に関するデータが含まれる。
【００８５】
この収益金の入金指示を受信した管理コンピュータ２１は、当せん金及び収益金の決済処理を実行する。具体的には、管理コンピュータ２１は決済要求を金融機関ホストシステム３０に送信する。この決済要求を受信した金融機関ホストシステム３０は決済処理を実行する。具体的には、金融機関ホストシステム３０は収益金を各地方自治体の口座に入金する。そして、金融機関ホストシステム３０は決済結果を販売管理システム２０に送信する。以上により、宝くじの抽せん段階の処理についての説明を終了する。
【００８６】
以上、本実施形態によれば、以下に示す効果を得ることができる。
・  上記実施形態では、会員データ記憶部２２には、本サービスを利用できる会員に関する会員データ２２０が記録されている。この会員データ２２０は、会員毎に当せん金合計額に関するデータを含んで構成される。そして、管理コンピュータ２１は、当せん時に当せん金振込額を算出する。この当せん金振込額は、当せん金合計額から振込手数料を差し引いて算出される。次に、管理コンピュータ２１は、当せん金振込額と振込下限額とを比較する。当せん金振込額が振込下限額未満の場合、管理コンピュータ２１は振込処理を行なわない。預金口座に振り込む場合、振込手数料が必要になることが多い。当せん金が比較的小額なため、振込手数料の方が高くなっては当せんの意味がなくなる。また、当せん金が振込手数料より多い場合であっても差額が小さい場合、当せんの度に振込手数料を支払うことは効率的でない。従って、当せん金振込額が振込下限額以上になって振り込みを行なうことにより、振込手数料の無駄を抑制することができる。
【００８７】
・  上記実施形態では、会員データ記憶部２２には、本サービスを利用できる会員に関する会員データ２２０が記録されている。この会員データ２２０は、会員毎に振込下限額に関するデータを含んで構成される。このため、振込下限額を高く設定することにより、振込手数料を効率的に利用することができる。また、振込手数料を低く設定することにより振込の頻度を高くすることができる。このように会員の希望により振込の頻度を変更することができる。
【００８８】
・  上記実施形態では、当せん金振込額が振込下限額以上の場合、管理コンピュータ２１は金融機関ホストシステム３０に対して当せん金の振込指示を行なう。このため、会員は、口座振込を利用して効率的に当せん金を受け取ることができる。例えば、振込下限額を「０円」に設定することにより、会員は迅速に当せん金を受け取ることができる。この設定は、上記実施形態のように、同一店内の口座への振込のように、振込手数料が「０円」の場合に有効である。
【００８９】
・  上記実施形態では、振込手数料データ記憶部２４には、振込手数料に関する振込手数料データ２４０が記録されている。この振込手数料データ２４０が更新されることにより、手数料の更新に応じて適切に処理が行なわれる。
【００９０】
なお、上記実施形態は、以下の態様に変更してもよい。
・  上記実施形態では、投票券として数字選択くじの販売及び管理について説明したが、その他の一般的な宝くじ、サッカーくじ等において、上記実施例と同様にして販売及び管理を行なうことができる。
【００９１】
・  上記実施形態では、会員データ記憶部２２には、本サービスを利用できる会員に関する会員データ２２０が記録されている。この会員データ２２０は、会員毎に振込下限額に関するデータを含んで構成される。これに代えて、一律、所定額を越えた場合に、当せん金の入金を行なってもよい。例えば、当せん金合計額から振込手数料を差し引いた当せん金振込額が０円以上になる場合には振込を行なう。これにより、会員データ記憶部２２の記録容量を削減することができる。
【００９２】
・  上記実施形態では、宝くじの抽せん段階において、発券センタ４０から抽せん結果を受信した場合、管理コンピュータ２１は当せん金の合計額を算出し、管理コンピュータ２１は当せん金振込額を算出する。これに加えて、振込手数料データ記憶部２４に記録された振込手数料データ２４０が更新された場合にも、図７に示すステップ（Ｓ３−２）〜（Ｓ３−８）を実行してもよい。これにより、当せん金振込額は振込手数料に依存するため、より迅速に当せん金を入金することができる。
【００９３】
・  上記実施形態では、管理コンピュータ２１は、当せん金振込額と振込下限額とを比較する。当せん金振込額が振込下限額未満の場合、管理コンピュータ２１は振込処理を行なわない。一方、当せん金振込額が振込下限額以上の場合、管理コンピュータ２１は金融機関ホストシステム３０に対して当せん金の振込指示を行なう。これに代えて、会員が複数の預金口座を有している場合、管理コンピュータ２１は、会員に当せん金振込額を提示して振込先の預金口座の選択を促してもよい。例えば、会員データ記憶部２２に記録された会員データ２２０に、会員が有する複数の預金口座識別子が記録されている場合を想定する。この場合、管理コンピュータ２１は、預金口座毎に当せん金振込額を算出する。そして、管理コンピュータ２１は、図７のステップ（Ｓ３−６）の前に口座選択画面に関するウェブページデータを利用者端末１０に送信する。
【００９４】
このウェブページデータを受信した利用者端末１０のディスプレイには、図１４に示す表示画面５６０が出力される。この表示画面５６０は、当せん金を振り込む預金口座を選択するための画面である。このため、表示画面５６０には、会員が有する預金口座識別子表示の表示が含まれる。さらに、表示画面５６０には、預金口座毎に振込手数料、当せん金振込額の表示が含まれる。さらに、預金口座を選択するための選択ボタン５６１が含まれる。この選択ボタン５６１が押された場合、選択された預金口座識別子に関するデータが販売管理システム２０に送信する。そして、管理コンピュータ２１は、受信した預金口座識別子を用いて、金融機関ホストシステム３０に対して当せん金の振込指示を行なう（Ｓ３−６）。以下、ステップ（Ｓ３−６）以降の処理を実行する。これにより、会員は振込手数料や利便性を考慮して預金口座を選択することができる。
【００９５】
【発明の効果】
以上詳述したように、本発明によれば、金融機関に開設された預金口座を利用して、当せん金を効率的に受け取ることができる投票券の管理を行なうことができる。
【図面の簡単な説明】
【図１】本発明の実施形態のシステム概略図。
【図２】会員データ記憶部に記録されたデータの説明図。
【図３】販売データ記憶部に記録されたデータの説明図。
【図４】振込手数料データ記憶部に記録されたデータの説明図。
【図５】本実施形態の処理手順の説明図。
【図６】本実施形態の処理手順の説明図。
【図７】本実施形態の処理手順の説明図。
【図８】利用者端末に表示された表示画面の説明図。
【図９】利用者端末に表示された表示画面の説明図。
【図１０】利用者端末に表示された表示画面の説明図。
【図１１】利用者端末に表示された表示画面の説明図。
【図１２】利用者端末に表示された表示画面の説明図。
【図１３】利用者端末に表示された表示画面の説明図。
【図１４】利用者端末に表示された表示画面の説明図。
【符号の説明】
１０…利用者端末、２０…投票券管理システムとしての販売管理システム、２１…管理コンピュータ、２２…利用者データ記憶手段としての会員データ記憶部、２４…振込手数料データ記憶手段としての振込手数料データ記憶部、Ｉ…ネットワークとしてのインターネット。
【図１】
2004240542.tif 000003
【図２】
2004240542.tif 000004
【図３】
2004240542.tif 000005
【図４】
2004240542.tif 000006
【図５】
2004240542.tif 000007
【図６】
2004240542.tif 000008
【図７】
2004240542.tif 000009
【図８】
2004240542.tif 000010
【図９】
2004240542.tif 000011
【図１０】
2004240542.tif 000012
【図１１】
2004240542.tif 000013
【図１２】
2004240542.tif 000014
【図１３】
2004240542.tif 000015
【図１４】
2004240542.tif 000016